【手続補正書】
【提出日】平成24年10月12日(2012.10.12)
【手続補正１】
【補正対象書類名】明細書
【補正対象項目名】発明の名称
【補正方法】変更
【補正の内容】
【発明の名称】情報処理装置、情報処理方法、及びコンピュータプログラム
【手続補正２】
【補正対象書類名】明細書
【補正対象項目名】０００９
【補正方法】変更
【補正の内容】
【０００９】
上記した目的を達成するために、本発明の情報処理装置は、ある事象の結果を予測する予測市場において取引される証券の取引価格を決定する情報処理装置であって、予測市場における証券の取引実績情報を記憶する第１の記憶手段と、前記第１の記憶手段に記憶されている取引実績情報を用いて、ユーザにより購入された証券数の分布を算出する第１の算出手段と、前記第１の記憶手段に記憶されている取引実績情報を用いて、ユーザにより購入された証券の簿価の分布を算出する第２の算出手段と、前記証券数の分布と、前記簿価の分布とを按分する際に用いるパラメータを設定する設定手段と、前記設定手段で設定されたパラメータを用いて、前記第１の算出手段で算出された証券数の分布と、前記第２の算出手段で算出された前記証券の簿価の分布とを按分し、前記証券の価格分布を算出する第３の算出手段と、前記第３の算出手段で算出された価格分布を用いて、証券の時価を決定する決定手段と、を備えることを特徴とする。
【手続補正３】
【補正対象書類名】明細書
【補正対象項目名】００１０
【補正方法】変更
【補正の内容】
【００１０】
上記した目的を達成するために、本発明の情報処理方法は、予測市場における証券の取引実績情報を記憶する記憶手段を備え、ある事象の結果を予測する予測市場において取引される証券の取引価格を決定する情報処理装置によって行われる情報処理方法であって、前記記憶手段に記憶されている取引実績情報を用いて、ユーザにより購入された証券数の分布を算出する第１の算出工程と、前記記憶手段に記憶されている取引実績情報を用いて、ユーザにより購入された証券の簿価の分布を算出する第２の算出工程と、前記証券数の分布と、前記簿価の分布とを按分する際に用いるパラメータを設定する設定工程と、前記設定工程で設定されたパラメータを用いて、前記第１の算出工程で算出された証券数の分布と、前記第２の算出工程で算出された前記証券の簿価の分布とを按分し、前記証券の価格分布を算出する第３の算出工程と、前記第３の算出工程で算出された価格分布を用いて、証券の時価を決定する決定工程と、を備えることを特徴とする。
【手続補正４】
【補正対象書類名】明細書
【補正対象項目名】００１１
【補正方法】変更
【補正の内容】
【００１１】
上記した目的を達成するために、本発明のコンピュータプログラムは、予測市場における証券の取引実績情報を記憶する記憶手段を備え、ある事象の結果を予測する予測市場において取引される証券の取引価格を決定する情報処理装置を、前記記憶手段に記憶されている取引実績情報を用いて、ユーザにより購入された証券数の分布を算出する第１の算出手段と、前記記憶手段に記憶されている取引実績情報を用いて、ユーザにより購入された証券の簿価の分布を算出する第２の算出手段と、前記証券数の分布と、前記簿価の分布とを按分する際に用いるパラメータを設定する設定手段と、前記設定手段で設定されたパラメータを用いて、前記第１の算出手段で算出された証券数の分布と、前記第２の算出手段で算出された前記証券の簿価の分布とを按分し、前記証券の価格分布を算出する第３の算出手段と、前記第３の算出手段で算出された価格分布を用いて、証券の時価を決定する決定手段として機能させることを特徴とする。
【手続補正５】
【補正対象書類名】明細書
【補正対象項目名】００２３
【補正方法】変更
【補正の内容】
【００２３】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。以上が、管理サーバ１０２のハードウェア構成の説明であるが、後述する各種の処理を実行可能であれば、必ずしも図２に記載のハードウェア構成を有していなくとも構わないことは言うまでもない。
【手続補正６】
【補正対象書類名】明細書
【補正対象項目名】００６６
【補正方法】変更
【補正の内容】
【００６６】
証券の積み上げの際に、証券数を基準に積み上げると、安価部分ほど、同じ価格で購入できる証券数は多くなり、同じ価格での売買でも、その部分の影響はより大きくなる。一方、積み上げ方式を簿価方式にすれば、上記のような問題は起きないので、証券数基準で積み上げた場合と比較し、安価部分の売買による価格変動の影響は小さくなる。しかし、売却益が得られない仕組み上、安価部分に証券が存在するということは、当然、結果値がその区間に入ると思っている意見が存在するということを意味する。その意見をどの程度反映させたいかは、市場の内容や参加者等により異なると考えられる。ここで、両者（証券数、簿価）の方式で求めたそれぞれの分布を、一定のパラメータで按分したものを最終的な価格分布とすることが望ましい。そこで、本発明では、この按分パラメータを管理者が指定できるようにした。管理サーバ１０２は、この按分パラメータについても、市場開設情報として受け付けることになる。
【手続補正７】
【補正対象書類名】明細書
【補正対象項目名】００７５
【補正方法】変更
【補正の内容】
【００７５】
この、分布按分のイメージを図１３に示す。１３０１に示す証券数分布と１３０３に示す簿価基準分布との間をとった、１３０２の分布を最終分布として採用する。パラメータηは、市場開設時に管理者によって指定された任意の値を用いることになる。ηが１ならば証券数基準分布、０ならば簿価基準分布そのものとなる。
【手続補正８】
【補正対象書類名】特許請求の範囲
【補正対象項目名】全文
【補正方法】変更
【補正の内容】
【特許請求の範囲】
【請求項１】
ある事象の結果を予測する予測市場において取引される証券の取引価格を決定する情報処理装置であって、
予測市場における証券の取引実績情報を記憶する第１の記憶手段と、
前記第１の記憶手段に記憶されている取引実績情報を用いて、ユーザにより購入された証券数の分布を算出する第１の算出手段と、
前記第１の記憶手段に記憶されている取引実績情報を用いて、ユーザにより購入された証券の簿価の分布を算出する第２の算出手段と、
前記証券数の分布と、前記簿価の分布とを按分する際に用いるパラメータを設定する設定手段と、
前記設定手段で設定されたパラメータを用いて、前記第１の算出手段で算出された証券数の分布と、前記第２の算出手段で算出された前記証券の簿価の分布とを按分し、前記証券の価格分布を算出する第３の算出手段と、
前記第３の算出手段で算出された価格分布を用いて、証券の時価を決定する決定手段と、
を備えることを特徴とする情報処理装置。
【請求項２】
前記第３の算出手段で算出した価格分布で決定される証券の価格が、予め決められた第１の価格を下回らないように、前記証券の価格分布を補正する価格分布補正手段
を更に備えることを特徴とする請求項１に記載の情報処理装置。
【請求項３】
前記価格分布補正手段は、前記第３の算出手段で算出された価格分布に前記第１の価格を加算することで、前記証券の価格が前記第１の価格を下回らないよう前記価格分布を補正すること
を特徴とする請求項２に記載の情報処理装置。
【請求項４】
前記価格分布補正手段は、前記第３の算出手段で算出された価格分布により決定される価格が第１の価格を下回る区間の証券の価格を、前記第１の価格になるよう前記価格分布を補正することで、前記証券の価格が前記第１の価格を下回らないように前記可価格分布を補正すること
を特徴とする請求項２に記載の情報処理装置。
【請求項５】
前記証券は、可変区間型証券であり、
ユーザの操作指示に従って、ユーザが購入する証券の区間の指定を受け付ける受付手段を更に備え、
前記決定手段は、前記第３の算出手段で算出された価格分布を用いて、前記受付手段で受け付けた区間の証券の価格を決定すること、
を特徴とする請求項１乃至４のいずれか１項に記載の情報処理装置。
【請求項６】
ユーザが前記証券を購入した際の価格である簿価と、前記第１の決定手段で決定される時価の安価な方を、前記証券の売却価格に決定する第２の決定手段
を更に備えることを特徴とする請求項１乃至５のいずれか１項に記載の情報処理装置。
【請求項７】
予測市場における証券の取引実績情報を記憶する記憶手段を備え、ある事象の結果を予測する予測市場において取引される証券の取引価格を決定する情報処理装置によって行われる情報処理方法であって、
前記記憶手段に記憶されている取引実績情報を用いて、ユーザにより購入された証券数の分布を算出する第１の算出工程と、
前記記憶手段に記憶されている取引実績情報を用いて、ユーザにより購入された証券の簿価の分布を算出する第２の算出工程と、
前記証券数の分布と、前記簿価の分布とを按分する際に用いるパラメータを設定する設定工程と、
前記設定工程で設定されたパラメータを用いて、前記第１の算出工程で算出された証券数の分布と、前記第２の算出工程で算出された前記証券の簿価の分布とを按分し、前記証券の価格分布を算出する第３の算出工程と、
前記第３の算出工程で算出された価格分布を用いて、証券の時価を決定する決定工程と、
を備えることを特徴とする情報処理方法。
【請求項８】
予測市場における証券の取引実績情報を記憶する記憶手段を備え、ある事象の結果を予測する予測市場において取引される証券の取引価格を決定する情報処理装置を、
前記記憶手段に記憶されている取引実績情報を用いて、ユーザにより購入された証券数の分布を算出する第１の算出手段と、
前記記憶手段に記憶されている取引実績情報を用いて、ユーザにより購入された証券の簿価の分布を算出する第２の算出手段と、
前記証券数の分布と、前記簿価の分布とを按分する際に用いるパラメータを設定する設定手段と、
前記設定手段で設定されたパラメータを用いて、前記第１の算出手段で算出された証券数の分布と、前記第２の算出手段で算出された前記証券の簿価の分布とを按分し、前記証券の価格分布を算出する第３の算出手段と、
前記第３の算出手段で算出された価格分布を用いて、証券の時価を決定する決定手段
として機能させることを特徴とするコンピュータプログラム。